(57)【要約】      （修正有）【課題】人的な影響や水気や臭い等を避けるためのホルダーで、両手や片手で操作できるロールペーパーホルダーの提供。【解決手段】横置きの筒体を左右端まで切って穴２を設けた本体１に、ロール用蓋３ａ、３ｂと心棒を設けてロール紙の取替えを可能にし、蓋５を凹み部７内に納めロール紙を封じ、蓋５と凹み部７内には滑り止め８ａ、８ｂと紙上げ用バネ６で紙の制動と摘まみやすくし、蓋用刃９と本体用刃１５を設けて紙を上下に引いて切り、ロック用穴１２ａ、１２ｂと凹み部７に爪１３ａ、１３ｂを対置してバネ６でロック用穴１２ａ、１２ｂに噛ませ、爪１３ａ、１３ｂと連結して操作レバー１４を設けて爪１３ａ、１３ｂを引っ込める構造により片手及び両手で紙を切り、更に本体を固定する台座１６を設け、本体１に多段のネジ穴を設けて固定角度を変更可能にしたり、本体１部のみの機能を生かしてキャンプ等に移動して使える手段を備える。【選択図】図１
2010274077.tif 000002
【特許請求の範囲】
【請求項１】
横置きの筒体を左右端まで切って帯状の穴を設けてこれを本体とし、本体の左右に開閉自在のロール用蓋を設け、その内部に着脱自在の心棒を設けてロールを装填する構成と蓋用刃をもつ蓋を穴の上部に軸支し、その蓋と同形の凹み部を本体側に設けて紙の先端部を挟んで蓋を凹凸なく閉める構成をもってロール紙全体を封じたことを特徴とするロールペーパーホルダー。
【請求項２】
軸支した蓋にバネを付設して蓋を開き、蓋の先端部の両脇にロック用穴と凹み部の両脇に爪を対置して設け、爪をバネでロック用穴に噛ませる構成で蓋をロックし、その爪に連結して操作レバーを設けて瞬間又は長時間にわたり爪を引っ込めてロックを解く構成により片手又は両手作業を補助することを特徴とする請求項１記載のロールペーパーホルダー。
【請求項３】
蓋と凹み部の内側に弾性面を成す滑り止めを対置して設けてロール紙の先端部をフレキシブルに挟んで制動力を得る構成を特徴とする請求項１記載のロールペーパーホルダー。
【請求項４】
凹み部の下部面に摘み部を設け、その摘み部の上部に紙上げ用バネを設けて蓋と連動してバネを跳ね上げてロール紙の先端部を摘まむ空間を得る構成を特徴とする請求項１記載のロールペーパーホルダー。
【請求項５】
凹み部の下部に本体用刃を設け、その刃先を蓋用刃と段違いで逆向きに構成し、ロール紙の先端部を下に引いて切ることを特徴とする請求項１記載のロールペーパーホルダー。
【請求項６】
本体と同形の湾曲部をもつ台座を設け本体と湾曲部にネジ穴を設けて固定する構成において、その本体側に多段の調整用ネジ穴を設けて本体の固定角度を変更する構成を特徴とする請求項１記載のロールペーパーホルダー。
【発明の詳細な説明】
【技術分野】
【０００１】  本発明は、トイレットペーパー等のロール紙を片手や両手で使うためのロールペーパーホルダーに関する。
【背景技術】
【０００２】  ロール紙を吊るして垂らす構成に蓋の重みやテコの原理等で紙に制動をかけて切る発明がある。例えば、特許文献１。従来技術は、紙全体や少なくとも紙の一部が見える構成を基にして片手で紙を切る手段を付加するものがほとんどである。又、省資源のおりトイレ用の他にロール紙をケース等に入れて卓上等で使えるように用途を広げたホルダーもある。例えば、特許文献２。
【特許文献１】特開２００２−２２３９８２号広報
【特許文献２】登録実用新案第３０９０５１４号広報
【発明の開示】
【発明が解決しようとする課題】
【０００３】  見える構成は特に片手用には利便があるが、一方、ロール紙を露出するのは不潔感の観点からは無防備な構成でもある。本発明は、不潔感の要因たる水気や臭い人的な影響等を避ける方法として、まずはロール紙全体を封じることが先決と考え、この構成を基本的な課題とした。【０００４】  片手では、紙を引出したら即切る連続作業になり、紙を引出す軽さと切れる制動力が両立しがたい。特に身体が不自由な人には紙をゆっくり引いて切れる制動力が望ましい。またロール紙の取替えや紙の摘みやすさ、切りやすさ等の細かな配慮も必要で、これらの作業性を次の課題とする。
更に、ロール紙の用途はトイレに限らず、卓上や移動等に使えるホルダーが望まれる時代と考え、これも課題とする。
【課題を解決するための手段】
【０００５】  横置きの筒体を左右端まで切って帯状の穴２を設けてこれを本体１とし、本体の左右に開閉自在にロール用蓋３ａ及び３ｂとその内部に心棒４ａ及び４ｂを設け、蓋用刃９を設けた蓋５を穴の上部に軸支して設け、その蓋と同形の凹み部７を本体側に設けて蓋が凹凸なく閉まる構造をもってロール紙全体を封じて不潔感を避ける基本的な構成を成し、又、穴２の切り口と心棒を使い片手でもロール紙の取替えを左右から可能とし、加えて軸支した蓋にバネ６を付設して蓋を開き、その蓋の先端部の両脇にロック用穴１２ａ及び１２ｂと凹み部７の両脇に爪１３ａ及び１３ｂを対置して設け、その爪をバネでロック用穴に噛ませる構造をもって蓋５を閉めるとその押圧力を保って蓋をロックして紙を切る手段と、この爪に連結して操作レバー１４を設けて瞬間又は長時間にわたり爪を引っ込めて蓋のロックを解く手段により片手又は両手による作業パターンを選択できる補助機能を持たせ、更に、以上の構成に加えて蓋５と凹み部７の内側に弾性面を成す滑り止め８ａ及び８ｂを対置して設け、ロールの先端部をフレキシブルに挟んで横方向への摩擦抵抗を増やし、この制動力をロック構造により静止させて身体が不自由な人でも紙をゆっくり引いて切れる作業を可能にし、加えて凹み部の下部面に摘み部１１を設け、その摘み部の上部に紙上げ用バネ１６を設けて蓋と連動してバネを跳ね上げる構成で紙の先端部を摘まみやすい空間を形成し、更には凹み部の下部に本体用刃１５を設け、その刃先をを蓋用刃９と段違いで且つ逆向きに構成し、紙を下に引いても切れる手段を可能とし、最後に本体１と同形の湾曲部をもつ台座１６を設け本体と湾曲部にネジ穴を設けて固定する構成おいて、その本体側に多段の調整用ネジ穴１７ａ及び１７ｂを設けて本体の固定角度を変更できる構造をもって壁付けから卓上等に用途を広げ、又、台座１６から本体を外し、本体のみの機能をもって卓上等に立てて使ったりキャンプ等に混載して移動用にも使ったり、変わった例ではぬいぐるみに隠し入れて使える方法を提供している。
【発明の効果】
【０００６】  ロールとその先端部を本体とロール用蓋及び蓋の内部に封じた。従って、善良な使い方であれば手で触れたり水気や臭い等の要因が避けられ、ホルダー内の環境を保全し不潔感に配慮される。又、片手でも左右のどちらからでもロール紙の取替えが可能である。
操作レバーで瞬間又は長時間にわたり蓋のロックを解いて開く構成。片手で蓋を開き、紙を引出し、蓋を閉めてロックし、紙を切る作業及び蓋をフリーにして両手で紙を手早く繰り返して切る作業ができる。
蓋を閉めると押圧力のままで紙を制動して蓋をロックする。この静止した制動力により身体が不自由な人でも片手で紙をゆっくり引いて切れる。蓋を開くと紙の先端部が浮き上がるので摘まみやすい。同時に制動機能も外れるので軽く引き出せる。蓋用刃と本体用刃を逆向きに設ける構成により紙を上又は下に引いて切ることが可能である。
本体を台座に固定したり外して使える構成。壁に固定して使う他に、本体を回して固定角度を変更して斜めの壁や卓上用等に用途が広がる。本体だけで使う場合は、キャンプ等の移動用に混載して使ったり、ぬいぐるみに隠し入れて本体を見せずに使うことも可能である。
【発明を実施するための最良の形態】
【０００７】  ロール紙の不潔感は男女兼用公衆トイレの例でわかる。誰でも触れる、水気や臭いを吸う特性と無防備に露出するホルダー構成が相まって不潔感をもたらす。本発明では、紙全体を封じて不潔感を発信しない構成を基本とし、加えて両手や片手で紙を使える構成と卓上や移動用にも使える用途を目指す。
封じる構成は容器のコンパクト性に問題がある。これはロールと容器の隙間を減らした筒形の容器とその内部にロールを吊るして封じる構造が最良と考え、この構造をベースにして紙を使う作業性を目指した。
ここで言う作業性とは、ロール紙の取替えやすさ、紙の摘みやすさ、引出しやすさ、ゆっくり引いて切れる制動力、切りやすさを言う。
特に片手作業では、動作が遅い人、力が弱い人や他に何らかの不自由さがあれば一つでも作業に支障があれば次には進めない。従って、一つ一つの作業がゆっくりでも確実にできることが必要である。【０００８】  図１は本発明を全装備して壁に固定した様子を示す斜視図である。図１及び図２のように、ロール紙を収容する直径が１３０ｍｍ程度の筒体を横に置いて左から右端まで横帯状に切りこの切り口を穴２と表現し、この筒体を本体１とする。以下、変形した本体の形状は筒状体と表現する。
本体１の左右に、円形のロール用蓋３ａ及び３ｂを開閉自在に設ける。開閉がネジ式の場合は、蓋側に雄ネジと本体側に雌ネジを設け、蓋の外周部をリング状に形成して雌ネジの外周部を押さえると筒状体が補強される。
図２のようにロール用蓋の内部に着脱自在に心棒４ａ及び４ｂを設ける。心棒はネジ式で、ロールの芯穴の大小に合わせて種類別に設ける。心棒はロールを左右から半分づつ持ち合う構造にすると片方だけでも保持できる。ロールが長ければ半分以下で保持できるのでロール全般に適用できる。ロール用蓋と心棒は左右同形に設けるとコスト減になる。芯なしロール用としては本体の内面にローラーを設けてロールを保持する構成も可能である。
図８のようにロール用蓋を開けると穴２の片端も空くのでロール紙を心棒と穴の奥まで挿入して保持できる。従って、片手であっても手順をふめば左右のどちらからでもロール紙の取替えが可能になる。以上によりロール部分は吊るして封じられ穴から紙を引き出せる。尚、ロールに紙がくっついて剥がしにくい問題があるが紙を引くとき穴２で剥がされるので解消される。【０００９】  図１のように、穴２の上部に蓋５を軸支して開閉自在に設ける。蓋に把持部を設けてもよい。次に本体に凹み部７を設ける。凹み部は蓋と同形を成すもので蓋を閉めると凹み部に凹凸なく納まる構造である。蓋の厚み分は凹み部に埋め込まれて筒状体の穴を塞いで元の筒体に似た全体形に戻って、さらに紙の先端部は蓋の内側に封じられることになる。
これでロール紙全体は本体とロール用蓋及び蓋で封じられる。善良な使い方であれば手で触れたり水気や臭い湿気等の要因が避けられてロール紙を保全して自ら不潔感を発信せず且つトイレ内の環境にも貢献できる。
次に図１及び図３のように蓋５の先端部に蓋用刃９を設ける。蓋を閉めるとその刃先は下向きになり上に引いて切る構造である。その刃先は凹み部に隠れて露出しない。尚、ロールが見えるように本体及びロール用蓋を部分的に透明にしてもよい。以上がロール紙を封じる目的の構成である。【００１０】  次に、片手や両手で使う作業性について述べる。尚、作業性の中にロール紙の取替えやすさがあったが既に前記の構成により解決策を記述した。
図１のように蓋５の軸支構造にバネ６を設けてその弾性で蓋を開く。キックバネを使うとよい。まず蓋５の先端部の両側面にロック用穴１２ａ及び１２ｂを設け凹み部７の下部の両脇には爪１３ａ及び１３ｂを設けて対置し、図４のように、常時バネで爪がロック用穴に噛む方向に押している。
爪１３ａ及び１３ｂと連結して操作レバー１４を本体の側面に設ける。操作レバーは、外から上下に操作して爪を引っ込める手段である。図４では矢印のようにレバーを瞬間だけ下側に押すと左右の爪が引っ込んで元に戻る。この操作で蓋が開き、紙の先端部を摘んで引き出し、蓋を閉めてロックし、紙を切る手順が生まれる。これが片手で紙を使う基礎を成す構成である。
次に、レバーを上側にすると爪を引っ込めたままでレバーが機械的に半固定される。レバーを戻さない限り長時間にわたり蓋がフリーに動く。従って、両手で手早く繰り返して紙が切れる。これで片手では段階的な手順と両手では汎用のホルダーのような手順を選択して使えるようになる。【００１１】  図１のように蓋５に滑り止め８ａを、凹み部にも滑り止め８ｂを対置してける。これはゴム系や樹脂系の弾性をもつ素材を平面状や格子状に形成して横に全幅、縦に４０ｍｍ程度に貼付ける。従来の固い金属等で制動する構成とは違って紙をフレキシブルに挟んで密着し、これを蓋と凹み部で押圧して横方向への摩擦抵抗で制動する。素材の厚みや柔らかさ等を組み合わせてこれを固い蓋等で挟んで摩擦力と使い勝手の最良点を見いだし、加えて蓋を閉める押圧力でロックして静止した強い制動力を得る手段である。
例えば蓋の重さやテコ構造で制動すると紙を引く軽さと強い制動力が両立しがたくその逆もあり、特に紙をゆっくり引いて切れるかの問題があった。本発明では蓋を開くと制動が外れて紙を軽く引き出せ、蓋をロックすると切れる制動力を得る構成でこれを両立させた。従って、動作が遅い人や力が弱くて持続できない人、何らかの不自由で片手しか使えない人でも静止した制動力により、紙をゆっくり引いて切ることができる。【００１２】  図１及び図５のように摘み部１１を設ける。摘み部は凹み部の下部底面を横一列に一段と凹ませて深さ５ｍｍ、横に全幅、縦に２５ｍｍ程度に設ける。摘み部の深さは筒状体の太さ、つまりコンパクト性に影響するため深さに限界があるが、前記の爪１３ａ及び１３ｂを設けるには有効なスペースになり、また縦に凹んだ（例では２５ｍｍ）構成が摘む空間に有効と考える。
これを補うために、紙上げ用バネ１０を設ける。紙上げ用バネは細い鋼線やプラスチック線をＵ字状に形成し、その線端を凹み部の両端に小穴を設けて半固定し、蓋を開くとバネが跳ね上がる構成である。
その跳ね上げ高を３０ｍｍ程度に設けると摘み部とは深さ３５ｍｍと幅２５ｍｍ程度の空間が得られる。この構成は滑り止めの面積を減らさず制動力を保ちコストも安くなる。跳ね上げ高の増減が可能であり摘み部の深さと総合判断して調整する。一方、美観が優れず悪戯されやすい側面もある。
又、図６には横長の平板１９を軸支してバネで跳ね上げる構造を示したが、これは滑り止めの面積を減らすこと及び構造が複雑になりコストに影響する等の問題がありその事例に止める。
以上の構成により、蓋を開くと前記の事例では紙の先端部が３５ｍｍ程度は浮き上がるので、片手であっても指先が入り摘みやすくなる。【００１３】  凹み部７の下部に本体用刃１５を設ける。これは蓋用刃９とは逆に刃先を上向きに設けて下に引いて切る手段である。紙の経路は図３のように、まず蓋５の裏から蓋用刃９を回りほぼ直角に上方向に出て、本体用刃１５に直角に接して回り込み下方に引く。この両刃は概ね２ｍｍ程度の段違いに構成し、二つの刃先に当たる摩擦抵抗と滑り止めの制動力で紙を切るものである。
これは紙を鋭角に引けない難点があるが、二つの刃先に直角に当たること及び制動力が強いため刃先を鋭くするには至らないと考える。本体用刃は凹み部に隠れて刃先が露出しない。尚、追記すれば前記の蓋用刃９も制動力が作用するので刃先を鋭くするには至らず安全である。
これで本体に装備する作業性を良くする課題の説明を終わるが、封じる構成にはロール紙は勿論、他の用品の多くをその内部に封じ込んだことにより刃先等が突出することもなくシンプルな外観を成し、又、本体に装備した構成のみで片手や両手で使える機能をもつ点を強調しておきたい。【００１４】  次に、本体を固定する台座１６を設ける。台座は図７に示すように底面を平板状に設けて壁等にネジで固定する。次に台座の内側の左右に半円状の湾曲部を設ける。これは本体を固定するための構成である。
湾曲面は本体と同形に形成して本体をはめ込み、本体と湾曲部に４個のネジ穴を設けて固定すると壁用になる。次に、本体に小刻みに調整用ネジ穴１７ａ及び１７ｂを設ける。これは台座側の固定穴を利用して本体を回して調整用ネジ穴により固定角度を変更する構成である。
例えば、図７では台座の固定穴に対して半分刻みに調整用ネジ穴を設けた。角度の調整範囲は蓋と操作レバーが支障なく動く範囲、つまり図７では手前側（矢印方向）に９０度程度までは可能である。
これで斜めの壁に固定したり卓上等で使う用途が広がる。台座の底面に両面テープ、面ファスナーを貼ると固定場所が広がる。卓上用は上向きにも横向きにも置ける。据え置きで使うときは台座に重り１８を設けてもよい。
又、前述のように本体に装備した機能は次の用途がある。
まず、本体部をキャンプ等の道具と混載したり、テント内に転がして使ったりできる。卓上等に立てる使い方なら見栄えもよく衛生的である。変わった例では、ぬいぐるみ内に隠し入れて固定し蓋が開くように切るがチャック式にすると飾りや遊びを兼ねて使える。
尚、本体のネジ穴は貫通穴ではなく深い切り込み式で後でキリ等で貫通する方法でもよい。用途によっては穴が見えては美観を損ねる。但し、ホルダーの用途を先に決めるなら始めから貫通穴のみでもよい。【００１５】  図１のように全装備のホルダーを壁に固定するときの使用方法を述べる。
片手でロール紙を取替えるには、まず操作レバー１４を下に押して蓋５を開き、片方のロール用蓋を外して古いロールを取り出す。次に、新しいロール紙の先端部を剥がし、図８に準じて穴２と心棒にそって奥まで挿入する。ここで手を離してもロール紙は保持される。外した心棒を挿入しながらロール用蓋を閉める。紙を少し引出して蓋５を閉じておく。
片手で紙を使うには、操作レバーで蓋を開き、紙上げ用バネ１０に浮いた紙を摘んで引出し、蓋を閉めて制動をかけてロックし、再び紙を摘んで上又は下に引いて切る。次に紙を使うにはこの作業を繰り返す。この作業は、一つ一つ手順をふめるのでゆっくりした動作でも可能である。
両手で紙を使うには、操作レバーを上げて蓋をフリー側に開き、片手で紙を摘んで引出し、もう一方の手で蓋５を閉め、摘んだ紙を引いて切る。これを繰り返す。最後に操作レバーを中立に戻し、蓋をロックしておく。
【図面の簡単な説明】
【００１６】
【図１】全装備した本発明の構成を示す斜視図
【図２】ロール用蓋と心棒の装着方法及び部分構成を示すＡ−Ｂ断面図
【図３】蓋用刃と本体用刃の位置関係を示す部分断面図
【図４】操作レバーと爪の連結機構の構成と動作例を示す略図
【図５】摘み部と紙上げ用バネの構成及びその空間を示す部分断面図
【図６】平板で紙を跳ね上げる構成例を示す斜視図
【図７】台座と本体の構成及びネジ穴による固定方法を示す斜視図
【図８】穴と心棒にロール紙の装填方法を示す一部を切断した正面図
【符号の説明】
【００１７】  １    本体
２    穴
３ａ  ロール用蓋
３ｂ  ロール用蓋
４ａ  心棒
４ｂ  心棒
５    蓋
６    バネ
７    凹み部
８ａ  滑り止め
８ｂ  滑り止め
９    蓋用刃
１０    紙上げ用バネ
１１    摘み部
１２ａ  ロック用穴
１２ｂ  ロック用穴
１３ａ  爪
１３ｂ  爪
１４    操作レバー
１５    本体用刃
１６    台座
１７ａ  調整用ネジ穴
１７ｂ  調整用ネジ穴
１８    重り
１９    平板
【図１】
2010274077.tif 000003
【図２】
2010274077.tif 000004
【図３】
2010274077.tif 000005
【図４】
2010274077.tif 000006
【図５】
2010274077.tif 000007
【図６】
2010274077.tif 000008
【図７】
2010274077.tif 000009
【図８】
2010274077.tif 000010